(57)【特許請求の範囲】
【請求項１】
地上に置かれ、下部から空気を吸入して上方に空気を送風する送風機を備えたベースと、フレキシブルな材質でチューブ状に形成され、前記送風機によって内部に流入する空気の圧力によって柱状に膨脹し、前記ベースの上部に立設されるエアーコラムとを含むエアー看板であって、
前記ベースと前記エアーコラムが相互に結合できるように、下端部は前記ベースに結合され、上端部は前記エアーコラムに結合される結合台をさらに含み、
前記結合台は、上面に所定の隙間を維持し、前記エアーコラムの下端部に対応する形状に周囲を一周してコラム挿入溝が凹設され、前記コラム挿入溝に前記エアーコラムの下端部が挿入された状態で前記コラム挿入溝の隙間を詰めることができる詰め部材を備え、前記結合台の外側面から前記詰め部材及び前記エアーコラムの下端部を貫通して前記結合台の内部に固定される複数の固定ビスを備えることを特徴とする、エアーコラムの結合が容易なエアー看板。
【請求項２】
前記結合台は、所定の幅を持つ環状のもので、前記ベースに定着された状態で前記ベースに固定される固定フレームと、前記固定フレームによってガイドされ、前記固定フレーム上で回転できるように前記固定フレームを挟んで上下方向に相互に結合される下部カバー及び上面に前記コラム挿入溝が形成された上部カバーでなる回転フレームとを含んでなり、前記回転フレームを回転させる回転手段をさらに含むことを特徴とする、請求項１に記載のエアーコラムの結合が容易なエアー看板。
【請求項３】
前記固定フレームは、前記回転フレームと摩擦する面にその周囲を一周して所定の間隔で旋回ローラーを備え、
前記回転フレームは、前記固定フレームに対応するように上下面が所定の幅を持つ環状に形成され、内円周が成す側面にはその周囲を一周して円の中心方向に突出した複数の歯を持つリングギアを備え、
前記回転手段は、前記送風機から送風される空気の流れによって回転するインペラーと、前記ベースに固定され、入力軸に入力される前記インペラーの回転を減速させて出力軸に伝達する減速ギア列と、前記減速ギア列の出力軸に連結されて回転し、前記リングギアの歯とかみ合って前記回転フレームを回転させる駆動ギアとを含んでなることを特徴とする、請求項２に記載のエアーコラムの結合が容易なエアー看板。
【請求項４】
前記下部カバーは、前記固定フレームの下面と摩擦し、前記固定フレームを下部で支持する下部リブと、前記固定フレームの外側面を取り囲むように環状に形成され、前記下部リブを一周して上部に突出するガイドバンドとからなり、
前記上部カバーは、下面に前記コラム挿入溝と隣り合う位置で前記ガイドバンドが挿入されて結合できる形態に凹設されたガイドバンド挿入溝が形成され、
前記固定ビスは、前記上部カバーの外側面から前記コラム挿入溝に挿入された前記詰め部材及び前記エアーコラムの下端部を貫通し、前記ガイドバンド挿入溝に挿入された前記下部カバーのガイドバンドに結合されることにより、前記上部カバー、前記詰め部材、前記エアーコラム及び前記下部カバーが相互に一体に固定されることを特徴とする、請求項２または３に記載のエアーコラムの結合が容易なエアー看板。
【発明の詳細な説明】
【技術分野】
【０００１】
本発明はエアーコラム(air pillar)の結合が容易なエアー看板に係り、より詳しくは地上に置かれるベースと前記ベースの上部に立設されるエアーコラムの結合媒介体であって、その間に結合台を備え、結合台の上面にエアーコラムが挿入可能なコラム挿入溝が形成され、前記コラム挿入溝の隙間を詰め部材で詰めた後、複数の固定ビスを前記結合台、前記詰め部材及び前記エアーコラムに同時に貫通させて固定することで、前記エアーコラムの結合を容易にしたエアー看板に関する。
【背景技術】
【０００２】
近年、広告用にエアー看板が多く使われている。図１には一般的なエアー看板が示されている。
【０００３】
図１を参照すれば、一般にエアー看板は、ベース１と、フレキシブルな材質でチューブ状に形成され、内部に流入した空気の圧力によって柱状に膨脹して立設されるように下端部が前記ベースに結合されたエアーコラム２とを含んでなる。
【０００４】
前記ベース１の内部には、エアーコラム２の内部に空気を注入するための送風機（図示せず）と前記エアーコラム２の内部に光を照射するための照明装置（図示せず）とが設置される。
【０００５】
また、従来、エアーコラム２をベース１に結合するためには、前記エアーコラム２の下端部を前記ベース１の上端部に合わせた後、前記エアーコラム２の下端部の周囲に一周して“コ”字形の鉄ピン（現場では、通常‘タッカーピン’と呼ばれる）を所定の間隔で打ち込んで前記ベース１に固定させる方法を取っていた。
【０００６】
しかし、従来の方法は、前記エアーコラム２を前記ベース１に確固に固定するために、“コ”字形の鉄ピンをとても小さな間隔で多数打ちこまなければならないため、作業が容易でなく、時間が長くかかり、エアーコラムの交替のためには、多数の“コ”字形の鉄ピンを除去した後、再び打ちこまなければならないため、維持保守も困難な問題があった。
【０００７】
一方、近年には視線を集中させる効果を極大化させるためにエアーコラムが回転する回転式エアー看板が市販されている。特許文献１には回転式エアー看板が開示されており、図２はそのような回転式エアー看板の構造を簡単に示すものである。
【０００８】
図２を参照すれば、従来の回転式エアー看板は、ベース１の上部のローラー５に環状の回転リング３が回転可能に支持され、その回転リング３はモーター４の出力軸に設置されたギア４ａとかみ合い、モーター４の回転によって回転する構造を持つ。
【０００９】
前記回転リング３にはエアーコラム（図示せず）が連結され、モーター４が回転すれば、前記回転リング３が回転し、それによりエアーコラムが回転することになる。
【００１０】
しかし、従来の回転式エアー看板は、回転のための別途のモーターを設置しなければならなく、そのモーターの回転力がギアのような伝動手段によって伝達されるため、騷音が高い欠点を持つ。
【００１１】
また、従来の回転式エアー看板は、エアーコラムが外部の要因によって拘束されて負荷がかかった場合にもモーターが回転し続けるため、ギアが損傷されるだけでなく、モーターに負荷がかかる欠点を持つ。特に、モーターに負荷がかかることによってモーターが過熱される場合には火事の危険もある問題点があった。
【先行技術文献】
【特許文献】
【００１２】
【特許文献１】大韓民国公開特許公報第１０−２００６−００２９３７３号明細書
【発明の概要】
【発明が解決しようとする課題】
【００１３】
本発明は前記のような従来技術の問題点を解決するためになされたもので、本発明の目的は、地上に置かれるベースと前記ベースの上部に立設されるエアーコラムの結合媒介体であって、その間に結合台を備え、結合台の上面にエアーコラムが挿入可能なコラム挿入溝を形成し、前記コラム挿入溝の隙間を詰め部材で詰めた後、複数の固定ビスを前記結合台、前記詰め部材及び前記エアーコラムに同時に貫通させて固定することで、前記エアーコラムの結合を容易にしたエアー看板を提供することにある。
【００１４】
本発明の他の目的は、エアー看板を回転式で構成する場合、送風機によって送風される空気によってエアーコラムが回転して、騷音が少なく、負荷がかかる場合にも故障が発生しないエアーコラムの結合が容易なエアー看板を提供することにある。
【課題を解決するための手段】
【００１５】
前記のような目的を達成するために、本発明によるエアーコラムの結合が容易なエアー看板は、地上に置かれ、下部から空気を吸入して上方に空気を送風する送風機を備えたベースと、フレキシブルな材質でチューブ状に形成され、前記送風機によって内部に流入する空気の圧力によって柱状に膨脹し、前記ベースの上部に立設されるエアーコラムとを含むエアー看板であって、前記ベースと前記エアーコラムが相互に結合できるように、下端部は前記ベースに結合され、上端部は前記エアーコラムに結合される結合台をさらに含み、前記結合台は、上面に所定の隙間を維持し、前記エアーコラムの下端部に対応する形状に周囲を一周してコラム挿入溝が凹設され、前記コラム挿入溝に前記エアーコラムの下端部が挿入された状態で前記コラム挿入溝の隙間を詰めることができる詰め部材を備え、前記結合台の外側面から前記詰め部材及び前記エアーコラムの下端部を貫通して前記結合台の内部に固定される複数の固定ビスを備えることを特徴とする。
【００１６】
また、本発明によるエアーコラムの結合が容易なエアー看板において、前記結合台は、所定の幅を持つ環状のもので、前記ベースに定着された状態で前記ベースに固定される固定フレームと、前記固定フレームによってガイドされ、前記固定フレーム上で回転できるように前記固定フレームを挟んで上下方向に相互に結合される下部カバー及び上面に前記コラム挿入溝が形成された上部カバーでなる回転フレームとを含んでなり、前記回転フレームを回転させる回転手段をさらに含むことを特徴とする。
【００１７】
また、本発明によるエアーコラムの結合が容易なエアー看板において、前記固定フレームは、前記回転フレームと摩擦する面にその周囲を一周して所定の間隔で旋回ローラーを備え、前記回転フレームは、前記固定フレームに対応するように上下面が所定の幅を持つ環状に形成され、内円周が成す側面にはその周囲を一周して円の中心方向に突出した複数の歯を持つリングギアを備え、前記回転手段は、前記送風機から送風される空気の流れによって回転するインペラーと、前記ベースに固定され、入力軸に入力される前記インペラーの回転を減速させて出力軸に伝達する減速ギア列と、前記減速ギア列の出力軸に連結されて回転し、前記リングギアの歯とかみ合って前記回転フレームを回転させる駆動ギアとを含んでなることを特徴とする。
【００１８】
また、本発明によるエアーコラムの結合が容易なエアー看板において、前記下部カバーは、前記固定フレームの下面と摩擦し、前記固定フレームを下部で支持する下部リブと、前記固定フレームの外側面を取り囲むように環状に形成され、前記下部リブを一周して上部に突出するガイドバンドとからなり、前記上部カバーは、下面に前記コラム挿入溝と隣り合う位置で前記ガイドバンドが挿入されて結合できる形態に凹設されたガイドバンド挿入溝が形成され、前記固定ビスは、前記上部カバーの外側面から前記コラム挿入溝に挿入された前記詰め部材及び前記エアーコラムの下端部を貫通し、前記ガイドバンド挿入溝に挿入された前記下部カバーのガイドバンドに結合されることにより、前記上部カバー、前記詰め部材、前記エアーコラム及び前記下部カバーが相互に一体に固定されることを特徴とする。
【発明の効果】
【００１９】
前記のような構成によって、本発明によるエアーコラムの結合が容易なエアー看板は、地上に置かれるベースと前記ベースの上部に立設されるエアーコラムの結合媒介体であって、その間に結合台を備え、結合台の上面にエアーコラムが挿入可能なコラム挿入溝を形成し、前記コラム挿入溝の隙間を詰め部材で詰めた後、複数の固定ビスを前記結合台、前記詰め部材及び前記エアーコラムに同時に貫通させて固定することにより、前記エアーコラムの結合を容易にし、エアー看板の製作に必要な努力及び時間を節減し、エアーコラムを交替しなければならない場合にも維持保守が容易な効果がある。
【００２０】
また、本発明によるエアーコラムの結合が容易なエアー看板は、エアー看板を回転式で構成する場合、送風機によって送風される空気によってエアーコラムが回転することにより、騷音が少なく、負荷がかかる場合にも故障が発生しない効果がある。
【図面の簡単な説明】
【００２１】
【図１】従来のエアー看板の一例を示す斜視図である。
【図２】従来の回転式エアー看板の構造を概念的に示す断面図である。
【図３】本発明の一実施例によるエアーコラムの結合が容易なエアー看板の分解斜視図である。
【図４】本発明の一実施例によるエアーコラムの結合が容易なエアー看板の分解断面図である。
【図５】本発明の一実施例によるエアーコラムの結合が容易なエアー看板の結合断面図である。
【発明を実施するための形態】
【００２２】
以下、図面に示す実施例に基づいて本発明によるエアーコラムの結合が容易なエアー看板をより詳細に説明する。
【００２３】
図３は本発明の一実施例によるエアーコラムの結合が容易なエアー看板の分解斜視図、図４及び図５は本発明の一実施例によるエアーコラムの結合が容易なエアー看板の分解断面図及び結合断面図である。
【００２４】
同図を参照すれば、本発明の一実施例によるエアーコラムの結合が容易なエアー看板は、ベース１０と、エアーコラム２０と、結合台３０と、回転手段４０とを含んでなる。
【００２５】
前記ベース１０は地上に置かれて前記エアーコラム２０を支持するための構成であり、上端部に前記結合台３０が結合され、内部には下部から空気を吸入して上方に空気を送風する送風機１１と、前記エアーコラム２０の内部に光を照射するための照明１２と、前記回転手段４０とが設置される。
【００２６】
一方、前記ベース１０の上面には、図３に示すように、前記結合台３０の一構成として、固定フレーム３１の下部に形成された凹部定着バンド３１２が結合されるためのスロット突出部１３が形成され、前記固定フレーム３１の凹部定着バンド３１２が前記スロット突出部１３に結合された状態で、前記固定フレーム３１と前記ベース１０が固定ボルトＢのような結合手段によって相互に結合される。
【００２７】
前記エアーコラム２０は表面に広告内容を表示するためのもので、フレキシブルな材質でチューブ状に形成され、前記送風機１１によって内部に流入する空気の圧力によって柱状に膨脹し、前記ベース１０の上部に立設されるように構成される。本発明の一実施例においては、前記エアーコラム２０の下端部が前記結合台３０の上端部と結合する。
【００２８】
前記結合台３０は前記ベース１０と前記エアーコラム２０が相互に結合されるようにする媒介体であり、下端部は前記ベース１０に結合され、上端部は前記エアーコラム２０に結合されるように構成される。本発明の一実施例においては、前記エアーコラム２０を回転式で構成するように固定フレーム３１と回転フレーム３２に分割して構成され、詰め部材３３及び固定ビス３４が備えられている。
【００２９】
前記固定フレーム３１は所定の幅を持つ環状のもので、前記ベース１０に定着された状態で前記ベース１０に固定される。前記ベース１０の上面に形成されたスロット突出部１３に挿入されると定着されるように下方に凹部定着バンド３１２が突設され、前記固定フレーム３１の凹部定着バンド３１２が前記スロット突出部１３に挿入された状態で、前記固定フレーム３１と前記ベース１０は固定ボルトＢのような結合手段によって相互に結合される。
【００３０】
また、前記固定フレーム３１は、前記回転フレーム３２と摩擦する面の周囲を一周して所定間隔で旋回ローラー３１１が備えられる。本発明の一実施例においては、図３に示すように、前記固定フレーム３１の外面、下面及び上面がそれぞれ前記回転フレーム３２と摩擦するように構成されるので、外側旋回ローラー３１１ａ、下部旋回ローラー３１１ｂ及び上部旋回ローラー３１１ｃが順次前記固定フレーム３１の周囲を一周するように備えられる。
【００３１】
前記回転フレーム３２は前記固定フレーム３１によってガイドされ、前記固定フレーム３１上で回転可能であるように前記固定フレーム３１を挟んで上下方向に相互に結合される下部カバー３２１及び上部カバー３２２で構成される。前記固定フレーム３１に対応するように所定の幅を持つ環状に形成され、上部カバー３２２の内円周が成す側面には、その周囲を一周して円の中心方向に突出した複数の歯を持つリングギア３２３が備えられる。
【００３２】
前記下部カバー３２１は、前記固定フレーム３１の下面と摩擦し、前記固定フレーム３１を下部で支持する下部リブ３２１ａと、前記固定フレーム３１の外側面を取り囲むように環状に形成され、前記下部リブ３２１ａを一周して上部に突出するガイドバンド３２１ｂとから構成される。前記下部リブ３２１ａは前記固定フレーム３１の下部旋回ローラー３１１ｂとスライドしながら摩擦し、前記ガイドバンド３１１ｂは前記上部カバー３２２に形成されたガイドバンド挿入溝３２２ｂに挿入され、前記上部カバー３２２と結合するように構成される。
【００３３】
前記上部カバー３２２は前記下部カバー３２１と対を成して前記固定フレーム３１によってガイドされ、前記固定フレーム３１上で回転し、前記エアーコラム２０が結合される構成のもので、コラム挿入溝３２２ａとガイドバンド挿入溝３２２ｂが形成され、リングギア３２３が備えられる。
【００３４】
前記コラム挿入溝３２２ａは前記上部カバー３２２の上面に対して所定の隙間（ｔ）を維持し、前記エアーコラム２０の下端部に対応する形状に周囲を一周するように凹設される。前記コラム挿入溝３２２ａに前記エアーコラム２０の下端部が挿入された状態で前記コラム挿入溝３２２ａの隙間（ｔ）を詰めることができる詰め部材３３が挿入されることで、前記エアーコラム２０の下端部が保持される。
【００３５】
前記ガイドバンド挿入溝３２２ｂは前記上部カバー３２２の下面に前記コラム挿入溝３２２ａと隣り合う位置に前記ガイドバンド３２１ｂが挿合される形態に凹設される。前記ガイドバンド挿入溝３２２ｂに前記ガイドバンド３２１ｂが挿入されることにより、前記下部カバー３２１と前記上部カバー３２２が前記固定フレーム３１を挟んで結合されるものである。
【００３６】
前記リングギア３２３は前記上部カバー３２２の内円周が成す側面にその周囲を一周して円の中心方向に突出した複数の歯を持つように構成され、前記回転手段４０の駆動ギア４３とかみ合って前記回転フレーム３２が回転するようにする構成である。
【００３７】
前記詰め部材３３は前記コラム挿入溝３２２ａに前記エアーコラム２０の下端部が挿入された状態で前記コラム挿入溝３２２ａの隙間（ｔ）を詰めることで、前記上部カバー３２２で前記エアーコラム２０の下端部を支持するための構成のものであり、本発明の一実施例においては、装着の便宜上、四つに分割されたユニットが組み合わせられて前記コラム挿入溝３２２ａの隙間（ｔ）に挿入されるように構成される。
【００３８】
前記固定ビス３４は複数が備えられ、前記結合台３０の外側面から前記詰め部材３３及び前記エアーコラム２０の下端部を貫通して前記結合台３０の内部に固定される構成のもので、本発明の一実施例においては、前記固定ビス３４が前記上部カバー３２２の外側面から前記コラム挿入溝３２２ａに挿入された前記詰め部材３３及び前記エアーコラム２０の下端部を貫通し、前記ガイドバンド挿入溝３２２ｂに挿入された前記下部カバー３２１のガイドバンド３２１ｂに結合されることにより、前記上部カバー３２２、前記詰め部材３３、前記エアーコラム２０及び前記下部カバー３２１が相互に一体に固定されるようにする役目をするように構成される。
【００３９】
従来技術では、図１に示すエアーコラム２をベース１に確固に固定するために、“コ”字形の鉄ピンをとても小さな間隔で多数打ちこまなければならないため、作業が容易でなく、時間が長くかかり、エアーコラムの交替のためには、多数の“コ”字形鉄ピンを除去した後、再び打ちこまなければならないため、維持保守も困難な問題があったが、本発明の一実施例では、前記コラム挿入溝３２２ａ、前記詰め部材３３及び前記固定ビス３４の有機的な結合関係によって、前記固定ビス３４が前記詰め部材３３の分割数だけのみ備えられても前記エアーコラム２０を確固に結合することができ、好ましくは前記固定ビス３４は前記詰め部材３３の分割個数の２倍数で備えて、分割された前記詰め部材３３の両側にそれぞれ締結されるように構成することが好ましい。
【００４０】
前記回転手段４０は前記ベース１０の内部に設置されて前記回転フレーム３２を回転させる構成のもので、インペラー４１と、減速ギア列４２と、駆動ギア４３とを備えている。
【００４１】
前記インペラー４１は前記送風機１１から送風される空気の流れによって回転する構成のもので、空気が衝突する多数のブレード４１１が斜めに設置され、前記ブレード４１１に衝突する空気の流れによって回転するように構成される。このような構成は風車などの多様な分野で使われる構成であるので、その詳細な説明は省略する。
【００４２】
もちろん、前記送風機１１から送風される空気の流れが前記インペラー４１に円滑に誘導されるように前記ベース１０の内部に空気誘導路（図示せず）を形成することが好ましい。
【００４３】
従来技術のように回転モーターを使わず、前記のように前記送風機１１によって送風される空気によって回転するインペラー４１の構成によって騷音が少なく、負荷がかかる場合にも故障が発生しなくなる効果があるものである。
【００４４】
前記減速ギア列４２は前記ベース１０に固定された状態で、入力軸に入力される前記インペラー４１の回転を減速させて出力軸に伝達する構成のものである。
【００４５】
すなわち、前記減速ギア列４２の入力軸は前記インペラー４１に連結され、出力軸は前記駆動ギア４３に連結されて前記エアーコラム２０の回転速度を調節するのはもちろんのこと、前記エアーコラム２０を回転させるのに要求される負荷を減らすことにより、前記インペラー４１が前記送風機１１から送風される空気によっても充分に回転できるようにする役目をするものである。
【００４６】
前記駆動ギア４３は前記減速ギア列４２の出力軸に連結されて回転する構成のもので、前記リングギア３２３の歯とかみ合い、よって前記回転フレーム３２を回転させることで前記エアーコラム２０を回転させる構成のものである。
【００４７】
一方、本発明の一実施例では、前記リングギア３２３と前記駆動ギア４３は回転軸が相互に直交する傘歯車の形でかみ合うように構成された。
【００４８】
以上、図面に基づいて説明したエアーコラムの結合が容易なエアー看板は本発明を実施するための一実施例に過ぎなく、本発明の技術的思想を限定するものとして解釈されてはいけない。本発明の保護範囲は以下の特許請求範囲に開示される事項によってだけ決められ、本発明の要旨を逸脱しない範疇内で改良及び変更された実施例は本発明が属する技術分野で通常の知識を持った者にあきらかである限り、本発明の保護範囲に属するものであるといえる。
【産業上の利用可能性】
【００４９】
前記のような構成を持つ本発明はベースとエアーコラムの結合媒介体であって、結合台を備えることでエアーコラムの結合を容易にしたエアー看板を提供する。
【符号の説明】
【００５０】
１０    ベース
１１    送風機
１２    照明
１３    スロット突出部
２０    エアーコラム
３０    結合台
３１    固定フレーム
３２    回転フレーム
３３    詰め部材
３４    固定ビス
３１１    旋回ローラー
３１２    凹部定着バンド
３２１    下部カバー
３２１ａ    下部リブ
３２１ｂ    ガイドバンド
３２２    上部カバー
３２２ａ    コラム挿入溝
３２２ｂ    ガイドバンド挿入溝
３２３    リングギア
４０    回転手段
４１    インペラー
４２    減速ギア列
４３    駆動ギア
【図１】
0005415635.tif 000002
【図２】
0005415635.tif 000003
【図３】
0005415635.tif 000004
【図４】
0005415635.tif 000005
【図５】
0005415635.tif 000006